(57)【要約】【課題】ガスメーターと通信機器とを配線する手間を省けると共に、ガスメーターを取付けるためのスペースを確保するだけで通信機器を取付けるスペースを確保する必要がない通信機能付きガスメーターを提供することにある。【解決手段】ガスメーター本体１に計量機構部、ガスの異常流量等の異常時や地震発生等の緊急時にガスの流通を遮断する遮断機構部及びマイコンを内蔵したガスメーターにおいて、計量機構部を、ガスメーター本体１に設けられ計量膜を有する計量室と、この計量室の前後の開口を覆うと共に外周部がガスメーター本体１に複数の取付けねじ９によって固定された覆い板としての前部腹板７、後部腹板８から構成し、通信機器１０を搭載した取付け具１１を、前部腹板７、後部腹板８をガスメーター本体１に取付ける取付けねじ９を利用してガスメーター本体１の側部に取付けたことを特徴とする。【選択図】図１
2007171017.tif 000002
【特許請求の範囲】
【請求項１】
ガスメーター本体に計量機構部、ガスの異常流量等の異常時や地震発生等の緊急時にガスの流通を遮断する遮断機構部及びマイコンを内蔵したガスメーターにおいて、
前記計量機構部を、前記ガスメーター本体に設けられ計量膜を有する計量室と、この計量室の前後の開口を覆うと共に外周部が前記ガスメーター本体に複数の取付けねじによって固定された覆い板とから構成し、
通信機器を搭載した取付け具を、前記覆い板を前記ガスメーター本体に取付ける取付けねじを利用してガスメーター本体の側部に取付けたことを特徴とする通信機能付きガスメーター。
【請求項２】
前記通信機能を搭載した取付け具は、断面がコ字型の部材からなり、その背面部に通信機器が設けられ、両側部に前記ガスメーター本体の前後の覆い板の取付け部と対応する取付け部が設けられていることを特徴とする請求項１記載の通信機能付きガスメーター。
【請求項３】
前記覆い板のガスメーター本体に対する取付け部は左右対称であり、前記通信機器を搭載した取付け具は、前記ガスメーター本体の右側部または左側部に選択的に取付け可能であることを特徴とする請求項１または２記載の通信機能付きガスメーター。
【発明の詳細な説明】
【技術分野】
【０００１】
この発明は、マイコンを搭載したガスメーターに通信機能を備え、遠隔地と情報を送受信できる通信機能付きガスメーターに関する。
【背景技術】
【０００２】
ガスメーター本体の内部に遮断弁を設けるとともに、地震を感知する感震器、ガス圧力低下を感知する圧力センサ及び制御回路を内蔵し、ガスの異常使用時、地震時あるいはガス圧力低下時等の緊急時に遮断弁としての双方向遮断弁を作動させてガスの流通を遮断するようにしたマイコンガスメーターが知られている。
【０００３】
一般に、マイコンガスメーターは、その本体内に機器収納室が設けられ、この機器収納室に感震器、マイコンを搭載したプリント基板、圧力センサ及び電池が収納されている。さらに、ガスメーター本体のガス連通口には双方向遮断弁が設けられ、緊急時にガス連通口を遮断するようになっている。
【０００４】
また、ガスメーター内蔵のマイコンに、各種のパルス単位や器差補正係数を設定するために、ガスメーターの外部から通信線を介して所定の電気信号をガスメーターに送って設定したり、マイコンが記憶している定数やガス使用量等の情報を通信線を介してガスメーターの外部に送信できるようにした通信機能付きガスメーターが知られている（例えば、特許文献１参照。）。
【０００５】
一般に、通信機能付きガスメーターは、信号線を通信機器(無線機、表示器、パルスカウンタ、ＮＣＵ等)に接続することで簡単に指針値やセキュリティ情報をセンタシステム(パソコン)やハンディターミナルで確認することができる。従って、この機能を利用することにより自動検針や無線検針も可能である。
【特許文献１】特開平７−１９０８３１号公報
【発明の開示】
【発明が解決しようとする課題】
【０００６】
しかしながら、従来の通信機能付きガスメーターは、ガスメーターと通信機器とは別々に取付けられている。すなわち、一般家庭等においては、家屋の外壁等にガスメーターが取付けられているが、そのガスメーターの近傍の家屋外壁等に通信機器が取付けられ、ガスメーターと通信機器とを配線によって電気的に接続している。
従って、ガスメーターと通信機器とを配線する手間が掛かると共に、ガスメーターの近傍に通信機器を取付けるためのスペースを確保する必要があり、ガスメーターの設置場所が制約されるという問題がある。
この発明は、前記事情に着目してなされたもので、その目的とするところは、ガスメーターと通信機器とを配線する手間を省けると共に、ガスメーターを取付けるためのスペースを確保するだけで通信機器を取付けるスペースを確保する必要がない通信機能付きガスメーターを提供することにある。
【課題を解決するための手段】
【０００７】
この発明は、前述した目的を達成するために、請求項１は、ガスメーター本体に計量機構部、ガスの異常流量等の異常時や地震発生等の緊急時にガスの流通を遮断する遮断機構部及びマイコンを内蔵したガスメーターにおいて、前記計量機構部を、前記ガスメーター本体に設けられ計量膜を有する計量室と、この計量室の前後の開口を覆うと共に外周部が前記ガスメーター本体に複数の取付けねじによって固定された覆い板とから構成し、通信機器を搭載した取付け具を、前記覆い板を前記ガスメーター本体に取付ける取付けねじを利用してガスメーター本体の側部に取付けたことを特徴とする通信機能付きガスメーターにある。
【０００８】
請求項２は、請求項１の前記通信機器を搭載した取付け具は、断面がコ字型の部材からなり、その背面部に通信機器が設けられ、両側部に前記ガスメーター本体の前後の覆い板の取付け部と対応する取付け部が設けられていることを特徴とする。
【０００９】
請求項３は、請求項１または２記載の前記覆い板のガスメーター本体に対する取付け部は左右対称であり、前記通信機能を搭載した取付け具は、前記ガスメーター本体の右側部または左側部に選択的に取付け可能であることを特徴とする。
【発明の効果】
【００１０】
この発明によれば、通信機器を搭載した取付け具を、ガスメーター本体の側部に取付けることができ、ガスメーターと通信機器とを配線する手間を省けると共に、ガスメーターを取付けるためのスペースを確保するだけで通信機器を取付けるスペースを確保する必要がなく、ガスメーターの設置場所が制約されないという効果がある。
【発明を実施するための最良の形態】
【００１１】
以下、この発明の実施の形態を図面に基づいて説明する。
【００１２】
図１〜図３は第１の実施形態を示し、図１は都市ガス用マイコンガスメーターの正面図、図２は同じく側面図、図３は通信機器を搭載した取付け具の斜視図である。図１及び図２に示すように、ガスメーター本体１は上部ケース２と下部ケース３とからなり、上部ケース２の上部にはガス流入口４及びガス流出口５が設けられている。上部ケース２の前部にはガスの消費量を積算表示するカウンタ６が設けられている。
【００１３】
また、下部ケース３は計量膜を有する計量室を備えた計量機構部(図示しない)を形成するためにガスメーター本体１に対し、計量室の前後の開口を覆う覆い板としての前部腹板７と後部腹板８が設けられている。すなわち、ガスメーター本体１に対して前部腹板７と後部腹板８をパッキング(図示しない)を介して気密に取付けることにより、計量膜を有する計量室を構成している。
前部腹板７及び後部腹板８の外周部には所定間隔を存して取付け孔(図示しない)が設けられ、ガスメーター本体１には取付け孔に対応してねじ孔(図示しない)が設けられている。そして、取付けねじ９を前部腹板７及び後部腹板８の取付け孔(図示しない)に挿通し、ガスメーター本体１のねじ孔に締め付けることにより固定されている。
【００１４】
このように構成されたガスメーター本体１にはガスの異常流量等の異常時や地震発生等の緊急時にガスの流通を遮断する遮断機構部及びマイコンが内蔵されている。そして、ガスの異常使用時、地震時あるいはガス圧力低下時等の緊急時に、これらを検知する異常検知センサからの検知信号がコントローラに入力されると、ガスメーター本体１内のガス連通口を遮断するようになっている。
【００１５】
さらに、ガスメーター本体１の側部には通信機器１０を搭載した取付け具１１が取付けられている。通信機器１０は、無線機、表示器、パルスカウンタ、ＮＣＵ等に接続することで簡単に指針値やセキュリティ情報をセンタシステム(パソコン)やハンディターミナルで確認することができる。従って、この機能を利用することにより自動検針や無線検針も可能である。
取付け具１１は、図３に示すように、金属板をほぼコ字型に折曲することにより形成されている。取付け具１１の背面部１１ａには通信機器１０が設けられ、両側部には互いに対向する二つの取付け部１１ｂが設けられている。
【００１６】
取付け具１１の二つの取付け部１１ｂの間隔は、ガスメーター本体１に対して取付けられた前部腹板７及び後部腹板８の外側面に接合する寸法に設定されている。さらに、取付け部１１ｂには前部腹板７及び後部腹板８に設けられた複数個の取付け孔のうち、最も外側部に位置する２つの取付け孔に対応して突出片１２が設けられ、これら突出片１２には２つの取付け孔と対応する取付け孔１３が設けられている。
【００１７】
そして、通信機器１０を搭載した取付け具１１の取付け部１１ｂをガスメーター本体１の側部からそのガスメーター本体１に嵌合し、取付け部１１ｂの突出片１２を前部腹板７及び後部腹板８の外側面に接合する。この状態で、突出片１２の取付け孔１３を前部腹板７及び後部腹板８の２つの取付け孔に位置決めし、取付けねじ９を取付け孔１３に挿通し、ガスメーター本体１のねじ孔に締め付けると、ガスメーター本体１に対して前部腹板７及び後部腹板８が取付けられると共に、通信機器１０を搭載した取付け具１１がガスメーター本体１の側部に取付けられる。
従って、ガスメーター本体１と通信機器１０が一体的となり、家屋の外壁等にガスメーターを取付けるスペースを確保するだけで、通信機器１０を搭載したガスメーターを取付けることができる。また、ガスメーター本体１の前部腹板７及び後部腹板８を取付けるための２つの取付け孔は左右対称であり、取付け具１１にも左右対称に二つの取付け部１１ｂが設けられているため、通信機器１０を搭載した取付け具１１をガスメーター本体１の右側部または左側部に選択的に取付け可能である。従って、ガスメーターの設置場所の状況に応じて通信機器１０を搭載した取付け具１１をガスメーター本体１の右側部または左側部に取付けることができる。
なお、前記実施形態においては、取付け具１１に１台の通信機器１０を搭載した場合について説明したが、図４及び図５に示すように、取付け具１１に２台の通信機能１０を搭載した場合においても前記実施形態と同様の効果がある。
さらに、都市ガス用ガスメーターについて説明したが、ＬＰガス用ガスメーターについても適用できることは勿論である。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１８】
【図１】この発明の第１の実施形態を示し、マイコンガスメーターの正面図。
【図２】同実施形態を示し、マイコンガスメーターの側面図。
【図３】同実施形態を示し、通信機器を搭載した取付け具の斜視図。
【図４】この発明の第２の実施形態を示し、マイコンガスメーターの正面図。
【図５】同実施形態を示し、マイコンガスメーターの側面図。
【符号の説明】
【００１９】
１…ガスメーター本体、７…前部腹板、８…後部腹板、９…取付けねじ、１０…通信機器、１１…取付け具
【図１】
2007171017.tif 000003
【図２】
2007171017.tif 000004
【図３】
2007171017.tif 000005
【図４】
2007171017.tif 000006
【図５】
2007171017.tif 000007